(57)【要約】【課題】容器内の棒状化粧料本来の描線よりも細い線を描くのを可能とする。【解決手段】棒状化粧料Ｍの先端部を容器先端の開口縁７ｘに沿った形状とし、前端部を含む前側縁部７ａの内側に、前側縁部７ａに沿った第１塗布面Ｍ１を形成し、後端部７ｈを含む後側縁部７ｃの内側に、後側縁部７ｃに沿った第２塗布面Ｍ２を形成し、前側縁部７ａと後側縁部７ｃとの間に段差を形成する中間縁部７ｂのその内側に第１、第２塗布面Ｍ１，Ｍ２を繋ぐ面Ｍ３を形成する。そして、棒状化粧料Ｍを繰り出し容器先端の開口７から突出させ、第１塗布面Ｍ１を先端面に有する第１塗布部Ｔ１、第２塗布面Ｍ２を先端面に有する第２塗布部Ｔ２を、それぞれ被塗布部に当てて塗布する。第１、第２塗布部Ｔ１，Ｔ２の大きさは、容器２内の棒状化粧料Ｍ本来の大きさより各々小さいことから、容器２内の棒状化粧料Ｍ本来の描線よりも細い線を描くことができる。【選択図】図７
2019187491.tif 000002
【特許請求の範囲】
【請求項１】
棒状化粧料を収容し、前記棒状化粧料を先端部の開口から軸線方向前方へ繰り出す棒状化粧料繰出容器であって、
側方から見た前記開口の開口縁は、前端部及び後端部を備え、
前記前端部を含む前側縁部と、
前記後端部を含む後側縁部と、
前記前側縁部と前記後側縁部との間に段差を形成するように前記前側縁部から後方へ延び前記後側縁部に繋がる中間縁部と、を有することを特徴とする棒状化粧料繰出容器。
【請求項２】
前記前側縁部は、前記軸線方向に対し略一定の角度で傾斜しながら前記前端部から後方へ延び、
前記後側縁部は、前記前側縁部と略平行になるように前記後端部から傾斜しながら前方へ延び、
前記中間縁部は、前記前側縁部の後端から延び前記後側縁部の前端に繋がることを特徴とする請求項１記載の棒状化粧料繰出容器。
【請求項３】
前記中間縁部の少なくとも一部分が前記軸線方向に沿って延びていることを特徴とする請求項１又は２記載の棒状化粧料繰出容器。
【発明の詳細な説明】
【技術分野】
【０００１】
本発明は、棒状化粧料を繰り出すことができる棒状化粧料繰出容器に関する。
【背景技術】
【０００２】
従来、例えばアイライン等の細い線を描く化粧料容器にあっては、より細い線を描く要求があり、以下の特許文献１には、直径が２．５ｍｍ以下の細径の棒状化粧料を繰り出して細い線を描くことができる棒状化粧料繰出容器が開示されている。
【先行技術文献】
【特許文献】
【０００３】
【特許文献１】特開２０１２−２３５８８５号公報
【発明の概要】
【発明が解決しようとする課題】
【０００４】
しかしながら、細い線を描くための棒状化粧料の直径にも限界があり、しかも棒状化粧料を、より小さくしようとすると、棒状化粧料の直径に対応して棒状化粧料繰出容器の構成部品の直径も小さくなり、組み立てや使用に耐え得る強度を確保するのが難しくなるという問題を生じる。
【０００５】
そこで、本発明は、容器内の棒状化粧料本来の描線よりも細い線を容易に描くことができる棒状化粧料繰出容器を提供することを目的とする。
【課題を解決するための手段】
【０００６】
本発明による棒状化粧料繰出容器は、棒状化粧料を収容し、棒状化粧料を先端部の開口から軸線方向前方へ繰り出す棒状化粧料繰出容器であって、側方から見た開口の開口縁は、前端部及び後端部を備え、前端部を含む前側縁部と、後端部を含む後側縁部と、前側縁部と後側縁部との間に段差を形成するように前側縁部から後方へ延び後側縁部に繋がる中間縁部と、を有することを特徴としている。
【０００７】
このような棒状化粧料繰出容器によれば、棒状化粧料の先端部が容器先端部の開口縁に沿った先端形状にされると、前端部を含む前側縁部の内側に、前側縁部に沿った第１の塗布面を形成でき、後端部を含む後側縁部の内側に、後側縁部に沿った第２の塗布面を形成でき、前側縁部と後側縁部との間に段差を形成する中間縁部のその内側に第１の塗布面と第２の塗布面を繋ぐ面を形成できる。これらの面を有する棒状化粧料を繰り出し、容器先端部の開口から突出させ、第１の塗布面を先端面に有する第１の塗布部、第２の塗布面を先端面に有する第２の塗布部を、それぞれ被塗布部に当てて塗布すれば、第１、第２の塗布部の大きさは、容器に収容されている棒状化粧料本来の大きさよりそれぞれ小さくなるため、容器内の棒状化粧料本来の描線よりも細い線を容易に描くことができる。
【０００８】
ここで、前側縁部は、軸線方向に対し略一定の角度で傾斜しながら前端部から後方へ延び、後側縁部は、前側縁部と略平行になるように後端部から傾斜しながら前方へ延び、中間縁部は、前側縁部の後端から延び後側縁部の前端に繋がる構成が好ましい。このような構成を採用した場合、第１、第２の塗布面は、ほぼ同じ角度で傾斜した平坦な塗布面となるため、各々の塗布面を順次、該当する被塗布部に当てて使用すれば、容器の角度を変えずに、容器内の棒状化粧料本来の描線よりも細い線を容易に描くことができる。
【０００９】
また、上記作用を好適に奏する構成としては、中間縁部の少なくとも一部分が軸線方向に沿って延びている構成が挙げられる。具体的には、中間縁部全部を軸線方向に沿って延びる構成としても良く、中間縁部の前側縁部との繋ぎ部、中間縁部の後側縁部との繋ぎ部をそれぞれＲ形状とし、中間縁部の繋ぎ部同士の間を軸線方向に沿って延びる構成としても良い。
【発明の効果】
【００１０】
このように本発明によれば、容器内の棒状化粧料本来の描線よりも細い線を容易に描くことができる棒状化粧料繰出容器を提供できる。
【図面の簡単な説明】
【００１１】
【図１】本発明の実施形態に係る棒状化粧料繰出容器を示す斜視図である。
【図２】図１の棒状化粧料繰出容器の縦断斜視図である。
【図３】図１中の先筒の先端部を示す縦断面図であり、棒状化粧料を充填する前の図である。
【図４】図１中の先筒の先端部を示す側面図である。
【図５】図４の先筒の先端部を斜め前方且つ上方から見た斜視図である。
【図６】図４の状態から棒状化粧料を繰り出した側面図である。
【図７】図６の先筒の先端部及び棒状化粧料の先端部を斜め前方且つ上方から見た斜視図である。
【図８】図６の状態から棒状化粧料の第１の塗布部を使用し第２の塗布部を多少使用した状態を示す側面図である。
【図９】図８の先筒の先端部及び棒状化粧料の先端部を斜め前方且つ上方から見た斜視図である。
【発明を実施するための形態】
【００１２】
以下、本発明による棒状化粧料繰出容器の好適な実施形態について図１〜図９を参照しながら説明する。
【００１３】
図１は、本発明の実施形態に係る棒状化粧料繰出容器を示す斜視図、図２は、図１の縦断斜視図である。
【００１４】
図１及び図２に示すように、本実施形態の棒状化粧料繰出容器１００は、容器内に収容した細径の棒状化粧料Ｍを、使用者が適宜繰り出し使用するものであり、ここでは、特に細い線を描くのに好適だとして、棒状化粧料Ｍをアイライナーとして説明する。なお、ここで用いるアイライナーＭは、断面形状が円形で直径１．５ｍｍとしているが、２ｍｍや３ｍｍ等の１．５ｍｍより大きい直径のアイライナーを用いても良く、可能であれば１．５ｍｍ未満の直径のアイライナーを用いても良い。
【００１５】
棒状化粧料繰出容器１００は、容器外形を構成する容器本体１及び先筒２と、図２に示すように、容器本体１内に収容された移動体３及びラチェットバネ部材４と、先筒２内に収容された雌螺子部材５と、先筒２内で移動体３の先端を構成しアイライナーＭを押し出すピストン６と、を概略備える。なお、ここでは、先筒２を覆うように先筒２に着脱可能に装着されるキャップは取り外され描かれていない。
【００１６】
容器本体１は、長尺な有底円筒状に構成され、容器本体１には、その内周面に、底部から先端側に向かって長尺に延びる突条１ａが、移動体３を回転方向に係合するためのものとして、周方向に沿って複数等配に並設されている。この突条１ａ，１ａ間に、移動体３の後端に周方向に沿って複数が設けられ軸線方向に短尺に延びるリブ３ｂが進入することにより、容器本体１に対して移動体３は同期回転可能且つ軸線方向移動可能に装着される。
【００１７】
突条１ａは、軸線方向前方へ向かうに従い段階的に軸心に向かう突出度合いが小さくなっており、突条１ａの軸線方向途中の径方向外側へ凹む段差面１ｂは、ラチェットバネ部材４の後端面を当接させるための段差面１ｂとなっている。また、容器本体１において段差面１ｂより前側の内周面には、軸線方向に延びる突条１ａ，１ａ間の溝１ｃが、ラチェットバネ部材４を回転方向に係合するためのものとして、周方向に沿って複数等配に並設されている。
【００１８】
ラチェットバネ部材４は、略円筒状に構成され、先端側のラチェット部４ａと後端部４ｃとを連結する中間部分が、軸線方向に伸縮可能なバネ部４ｂとされている。バネ部４ｂは、ここでは、ラチェット部４ａ、後端部４ｃと一体成形された樹脂バネとされ、略螺旋状に構成される。
【００１９】
ラチェット部４ａの先端面には、雌螺子部材５のラチェット歯５ｘとラチェット係合するラチェット歯４ｘが周方向に沿って複数並設されている。また、ラチェット部４ａの外周面には、軸線方向に延びる突条４ｄが、容器本体１の溝１ｃに回転方向に係合するためのものとして、周方向に沿って複数（ここでは８個）等配に並設されている。また、後端部４ｃの外周面にも、軸線方向に延びる突条４ｅが、容器本体１の溝１ｃに回転方向に係合するためのものとして、周方向に沿って複数（ここでは４個）等配に並設されている。後端部４ｃの突条４ｅは、ラチェット部４ａの突条４ｄの延長線上に配設されている。
【００２０】
先筒２は、先細の円筒状に形成され、軸線方向途中に、容器本体１の先端面が当接する鍔部２ｘを備える。先筒２の鍔部２ｘより後側の部分は、容器本体１内に挿入される挿入部とされる。
【００２１】
先筒２の軸線方向に貫通する筒孔は、先端から鍔部２ｘを過ぎる辺りまで延び、当該筒孔はアイライナーＭ及びピストン６が前進するアイライナー孔２ａとされる。アイライナー孔２ａの後端には、後方へ開放される大径孔が連設され、この大径孔に雌螺子部材５が、同期回転可能且つ軸線方向に移動不能に収容される。
【００２２】
雌螺子部材５は、略円筒状に構成され、先端部の内周面に沿って、移動体３の前半部の外周面に形成された雄螺子３ａに螺合する雌螺子５ａを備えている。雌螺子部材５の外周側の後端面には、ラチェットバネ部材４のラチェット歯４ｘと周方向に噛み合うラチェット歯５ｘが周方向に沿って複数並設される。
【００２３】
先筒２は、その挿入部が、容器本体１の前側から内挿され、その鍔部２ｘが容器本体１の先端面に突き当てられた状態で、容器本体１に回転可能且つ軸線方向移動不能に装着される。
【００２４】
ラチェットバネ部材４は、先筒２の雌螺子部材５と容器本体１の突条１ａの段差面１ｂとの間に挟まれ、そのラチェット部４ａの突条４ｄ及び後端部４ｃの突条４ｅが、容器本体１の溝１ｃに回転方向に係合することにより、容器本体１に同期回転可能且つそのバネ部４ｂが軸線方向に伸縮可能且つそのラチェット部４ａが軸線方向に移動可能に装着される。
【００２５】
そして、容器本体１と先筒２とを一方向に相対回転させると、容器本体１及びラチェットバネ部材４に同期回転する移動体３の雄螺子３ａと、先筒２に同期回転する雌螺子部材５の雌螺子５ａとによる螺合作用によって、移動体３及びピストン６が前進する。その際、容器本体１と先筒２との一方向の相対回転によってラチェットバネ部材４と雌螺子部材５とが相対回転すると、バネ部４ｂが収縮しながらラチェット歯４ｘ，５ｘの噛み合いを解除する係合解除と、バネ部４ｂの付勢力によってラチェット歯４ｘが前進しラチェット歯５ｘと係合する係合復帰とが繰り返され、使用者にクリック感を与える。このようなクリック感を使用者に与えることによって、使用者は回転操作によりアイライナーＭを徐々に繰り出すようになるので、アイライナーＭの形状を崩さないようにすることができる。なお、ラチェット歯４ｘ，５ｘより成るラチェット機構は、容器本体１と先筒２とを他方向に相対回転した場合にラチェット歯４ｘ，５ｘが強固に係合し噛み合いが解除されない構成とされているので、容器本体１と先筒２とを他方向に相対回転しても、雄螺子３ａと雌螺子５ａとによる螺合作用は働かず、移動体３は後退しない。
【００２６】
次に、本実施形態の特徴を成す先筒２の先端部の開口７の構成について説明する。
【００２７】
図３は、先筒の先端部を示す縦断面図であり、アイライナーを充填する前の図、図４は、アイライナー充填後の先筒の先端部を示す側面図、図５は、図４を斜め前方且つ上方から見た斜視図である。
【００２８】
図３〜図５に示すように、先筒２の先端の開口７を形成する（縁取る）開口縁７ｘは、側面視において（側方から見て）、図３の左側且つ下側の前側縁部７ａと、図３の右側且つ上側の後側縁部７ｃと、前側縁部７ａの後端と後側縁部７ｃの前端を段差を形成するように繋ぐ中間縁部７ｂと、を備える。
【００２９】
前側縁部７ａは、側面視において、図３及び図４の底部左側で若干Ｒ状に前方へ膨らむ前端部７ｄ（図５参照）を含み、図５に示すように、正面視（図３において左側から見た図）において前端部７ｄの両側に続き、側面視においてタケノコを斜め切りしたように底部略中央から両側に上り勾配の傾斜面７ｅを備える。すなわち、略一定の角度で傾斜しながら前端部７ｄから後方へ延びる傾斜面７ｅを備える。
【００３０】
中間縁部７ｂは、前側縁部７ａの後端に続き後方へ水平に延びる水平面７ｆを備える。
【００３１】
後側縁部７ｃは、水平面７ｆの後端に続き、側面視においてタケノコを斜め切りしたように上記傾斜面７ｅと同様な上り勾配の（傾斜面７ｅと略平行な）傾斜面７ｇを備える。すなわち、略一定の角度で傾斜しながら水平面７ｆの後端から上方且つ後方へ延びる傾斜面７ｇを備え、傾斜面７ｇ同士が合流する図３の上部略中央の後端部７ｈ（図５参照）を含む構成となっている。従って、前側縁部７ａと後側縁部７ｃとは、段差を形成する中間縁部７ｂを介して繋がった状態となっている。
【００３２】
ここで、先筒２のアイライナー孔２ａに充填されているアイライナーＭは、棒状化粧料繰出容器１００を組み立てた状態で、溶融化粧料を先筒２の開口７からアイライナー孔２ａに流し込み固化させることにより得ることができる。
【００３３】
そして、棒状化粧料繰出容器１００の出荷時の状態（初期状態）にあっては、図１及び図５に示すように、アイライナーＭの先端部は、開口縁７ｘに沿って削ぎ落とされ当該開口縁７ｘに倣った先端形状となっている。すなわち、アイライナーＭは、側面視において、その先端部の上部側が先筒２の開口７から上方へ露出すると共に、その先端部の下部側が先筒２に下から覆われて隠されガードされた状態となっている。
【００３４】
次に、棒状化粧料繰出容器１００の使用方法の一例を説明する。
【００３５】
図６は、アイライナーを繰り出した先筒の側面図、図７は、図６を斜め前方且つ上方から見た斜視図である。
【００３６】
使用者は、先ず、容器本体１と先筒２を繰り出し方向（一方向）に相対回転させ、移動体３を前進させピストン６によりアイライナーＭを押し出す。このとき、ラチェット歯４ｘ，５ｘより成るラチェット機構により、クリック感が与えられながらアイライナーＭの出し過ぎが防止され、アイライナーＭは、図６及び図７に示すように、適度に突出する。
【００３７】
先筒２の先端部から軸線方向前方へ突出したアイライナーＭは、前端部７ｄを含む前側縁部７ａの内側に、前側縁部７ａに沿った第１の塗布面Ｍ１が形成され、後端部７ｈを含む後側縁部７ｃの内側に、後側縁部７ｃに沿った第２の塗布面Ｍ２が形成され、中間縁部７ｂの内側に第１の塗布面Ｍ１と第２の塗布面Ｍ２とを繋ぐ面Ｍ３が形成された状態で、前方へ突出する。すなわち、先筒２の先端部からは、第１の塗布面Ｍ１を先端面に有する側面視において下側の第１の塗布部Ｔ１、第２の塗布面Ｍ２を先端面に有する側面視において上側で第１の塗布部Ｔ１より後側の第２の塗布部Ｔ２が突出することになる。
【００３８】
ここで、例えば目尻の細い跳ね上げラインを描く場合には、第１の塗布面Ｍ１を有する第１の塗布部Ｔ１を使用するのが好適である。
【００３９】
図８は、図６の状態からアイライナーの第１の塗布部を使用し第２の塗布部を多少使用した状態を示す側面図、図９は、図８を斜め前方且つ上方から見た斜視図である。
【００４０】
ここでは、例えば目尻の細い跳ね上げラインを描き、図６及び図７に示す第１の塗布部Ｔ１を使いきった後に、例えば第２の塗布面Ｍ２を有する第２の塗布部Ｔ２を使用し、目頭から目尻へ向かうアイラインを描いて第２の塗布部Ｔ２が多少消費された例を示している。この第２の塗布部Ｔ２は、目頭から目尻へ向かうアイラインを描くのに好適である。
【００４１】
そして、このまま、第２の塗布部Ｔ２を使い切って、図４及び図５に示した初期状態のアイライナーＭの形状に戻し、再度、図６及び図７に示すように、アイライナーＭを繰り出して使用し、これら一連の動作を繰り返しても良い。また、第１の塗布部Ｔ１を使い切った後に第２の塗布部Ｔ２を大分使用した後に、ナイフ等を用いて残りの第２の塗布部Ｔ２をカットして図４及び図５の状態に戻し、再度、図６及び図７に示すように、アイライナーＭを繰り出して使用し、これら一連の動作を繰り返しても良い。また、図６及び図７に示す第１の塗布部Ｔ１を使いきった後に、第２の塗布部Ｔ２を使用することなく、ナイフ等を用いてアイライナーＭをカットして図４及び図５の状態に戻し、再度、図６及び図７に示すように、アイライナーＭを繰り出して使用し、これら一連の動作を繰り返しても良い。すなわち、アイライナーＭの第１の塗布部Ｔ１のみを専ら使用し、目尻の跳ね上げラインを専用に描く棒状化粧料繰出容器１００としても良い。
【００４２】
このように、本実施形態によれば、アイライナーＭの先端部が、容器先端部である先筒２の先端部の開口縁７ｘに沿った先端形状にされているため、前端部７ｄを含む前側縁部７ａの内側に、前側縁部７ａに沿った第１の塗布面Ｍ１が形成され、後端部７ｈを含む後側縁部７ｃの内側に、後側縁部７ｃに沿った第２の塗布面Ｍ２が形成され、前側縁部７ａと後側縁部７ｃとの間に段差を形成する中間縁部７ｂのその内側に第１の塗布面Ｍ１と第２の塗布面Ｍ２を繋ぐ面Ｍ３が形成される。そして、これらの面Ｍ１，Ｍ２，Ｍ３を有するアイライナーＭを繰り出し、先筒２の先端部の開口７から突出させ、第１の塗布面Ｍ１を先端面に有する第１の塗布部Ｔ１、第２の塗布面Ｍ２を先端面に有する第２の塗布部Ｔ２を、それぞれ被塗布部に当てて塗布するようにしている。このため、第１、第２の塗布部Ｔ１，Ｔ２の大きさは、先筒２に収容されているアイライナーＭ本来の大きさより当然それぞれ小さくなる。このため、先筒２内のアイライナーＭ本来の描線よりも細い線を容易に描くことができる。
【００４３】
また、前側縁部７ａは、軸線方向に対し略一定の角度で傾斜しながら前端部７ｄから後方へ延び、後側縁部７ｃは、前側縁部７ａと略平行になるように後端部７ｈから傾斜しながら前方へ延び、中間縁部７ｂは、前側縁部７ａの後端から延び後側縁部７ｃの前端に繋がる構成のため、第１、第２の塗布面Ｍ１，Ｍ２は、ほぼ同じ角度で傾斜した平坦な塗布面となる。このため、各々の塗布面Ｍ１，Ｍ２を順次、該当する被塗布部に当てて使用すれば、棒状化粧料繰出容器１００の角度を変えずに、先筒２内のアイライナーＭ本来の描線よりも細い線を容易に描くことができる。
【００４４】
なお、ここでは、中間縁部７ｂ全体が軸線方向に沿って延びる構成としているが、中間縁部７ｂの前側縁部７ａとの繋ぎ部、中間縁部７ｂの後側縁部７ｃとの繋ぎ部をそれぞれＲ形状とし、中間縁部７ｂの繋ぎ部同士の間を軸線方向に沿って延びる構成としても良く、中間縁部７ｂの少なくとも一部分が軸線方向に沿って延びている構成であれば良い。
【００４５】
以上、本発明をその実施形態に基づき具体的に説明したが、本発明は上記実施形態に限定されるものではなく、例えば、上記実施形態においては、特に好ましいとして、アイライナーＭを断面円形としているが、断面雫形状や、楕円形状のアイライナーに対しても適用可能である。
【００４６】
また、上記実施形態においては、ラチェット機構を採用し、アイライナーＭの前進のみを許容するようにしているが、ラチェット機構はなくても良い。
【００４７】
また、上記実施形態においては、特に細径のアイライナーＭとしているため、ピストン押し出しタイプの棒状化粧料繰出容器としているが、アイライナーＭを複数爪で把持できる所謂芯チャックタイプの棒状化粧料繰出容器に対して適用しても良い。
【００４８】
また、上記実施形態においては、前側縁部７ａ、後側縁部７ｃを傾斜縁部としているが、前側縁部７ａを、側面視下側の前端部７ｄを含み軸線方向に直交する垂直な前側縁部とし、後側縁部７ｃを、側面視上側の後端部７ｈを含み軸線方向に直交する垂直な後側縁部とし、この垂直な前側縁部と後側縁部とを段差となる中間縁部７ｂで繋ぐ構成であっても良い。また、特に好ましいとして、中間縁部７ｂを水平面としているが、水平面ではなく、例えば傾斜面であっても良い。
【００４９】
また、上記実施形態においては、特に細い線を描くのに好適だとして、棒状化粧料をアイライナーとしているが、例えば、棒状化粧料をアイブロウとし、眉尻の細いラインを描く場合にも適用でき、また、棒状化粧料を口紅とし、口角の細いラインを描く場合にも適用でき、要は、細い線を描くのに用いられる棒状化粧料に対して適用できる。
【００５０】
さらにまた、相対回転による棒状化粧料の繰り出しに限定されるものではなく、公知のペンシル型のノック式のようにノック操作部のノックにより棒状化粧料を繰り出すタイプに対しても適用可能であり、要は、操作部の操作により棒状化粧料を繰り出すタイプ全てに対して適用可能である。
【符号の説明】
【００５１】
７…開口、７ａ…前側縁部、７ｂ…中間縁部、７ｃ…後側縁部、７ｄ…前端部、７ｅ，７ｇ…傾斜面、７ｆ…水平面、７ｈ…後端部、７ｘ…開口縁、１００…棒状化粧料繰出容器、Ｍ…アイライナー（棒状化粧料）。
【図１】
2019187491.tif 000003
【図２】
2019187491.tif 000004
【図３】
2019187491.tif 000005
【図４】
2019187491.tif 000006
【図５】
2019187491.tif 000007
【図６】
2019187491.tif 000008
【図７】
2019187491.tif 000009
【図８】
2019187491.tif 000010
【図９】
2019187491.tif 000011